【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  所定の走査方向に往復動可能に支持されるメインキャリッジと、被噴射材に液体を噴射する液体噴射ヘッドを搭載したサブキャリッジと、該サブキャリッジを前記被噴射材の被噴射面に対して垂直方向に変位可能に前記メインキャリッジに支持し、前記サブキャリッジを変位させて前記液体噴射ヘッドのヘッド面と被噴射材の被噴射面との間隔を切り換える液体噴射間隔切換装置とを備え、前記サブキャリッジは、前記メインキャリッジに対して付勢手段を介したフローティング状態で、前記付勢手段の付勢力によって前記液体噴射間隔切換装置の一端に押圧されつつ前記メインキャリッジに支持されているキャリッジの前記液体噴射間隔切換装置であって、
前記メインキャリッジ側に軸支され、前記サブキャリッジを支持する回転偏心カムと、揺動可能に前記メインキャリッジ側に軸支され、所定の方向に揺動して前記回転偏心カムを一回転方向に回転させる切換レバーと、前記回転偏心カムと一体に回転する如く配置され、複数の突起部が同心円上に形成された回転体とを有し、
前記切換レバーを一方向に揺動させることで前記切換レバーの係合部が前記突起部と係合して前記回転体が一回転方向に回転し、前記係合部と係合している突起部の前記回転体の回転方向と反対方向直近に形成されている突起部に前記切換レバーの係止部が当接する回転位置まで前記回転体が回転した時点で、前記切換レバーが前記係合部に係合している突起部と前記係止部に当接している突起部との間に挟持されて一方向への前記切換レバーの揺動が規制されることによって、前記回転体の回転位置が規定されて前記回転偏心カムの回転位置が規定され、前記回転体に前記切換レバーの係止部が当接する回転位置まで前記回転体が回転した後、前記切換レバーを他揺動方向に揺動させると、前記係合部と係合している突起部の前記回転体の回転方向と反対方向直近に形成されている突起部と前記係合部とが係合した際に前記回転体が他回転方向に回転しない構成を成しており、
前記回転体は、前記突起部が同心円上の隣の突起部との間隔が１カ所を除いて略等間隔となる如く形成されている、ことを特徴とした液体噴射間隔切換装置。
【請求項２】  請求項１において、前記係合部は、前記切換レバーの揺動軸に向けて縮退可能に構成され、前記切換レバー内に縮設された付勢手段によって伸長方向に付勢されており、前記回転体に前記切換レバーの係止部が当接する回転位置まで前記回転体が回転した後、前記切換レバーを他揺動方向に揺動させると、前記係合部と係合している突起部の前記回転体の回転方向と反対方向直近に形成されている突起部と係合した際に縮退して前記回転体が他回転方向に回転しない構成を成している、ことを特徴とした液体噴射間隔切換装置。
【請求項３】  請求項１又は２に記載の液体噴射間隔切換装置を備えたキャリッジと、該キャリッジの往復動作領域に進出退避可能に配設されたトリガ部材とを備えた液体噴射装置において、前記キャリッジの駆動力源と前記トリガ部材を進出退避させる手段とを制御して前記液体噴射間隔切換装置による液体噴射間隔の自動切換制御を実行する液体噴射間隔自動切換制御装置であって、
前記トリガ部材を前記キャリッジの往復動作領域に進出させ、前記切換レバーが前記突起部間に挟持されて揺動位置が規制される揺動位置まで前記キャリッジの往復動作領域に進出した状態の前記トリガ部材が前記切換レバーを揺動させるまで、前記キャリッジを移動させて前記回転偏心カムを前記突起部の間隔分だけ回転させる動作を繰り返すことによって、液体噴射間隔を前記突起部が形成されている間隔で段階的にサイクリックに切り換える液体噴射間隔自動切換制御手段と、
該液体噴射間隔自動切換制御手段によって液体噴射間隔を切り換えた際に、前記切換レバーが前記突起部間に挟持されて揺動が規制された状態における前記キャリッジの停止位置が、１カ所だけ間隔が異なる前記突起部間に挟持された状態の前記切換レバーの揺動位置に対応した位置である場合に既定の液体噴射間隔であると判定する既定液体噴射間隔検出制御手段とを有している、ことを特徴とした液体噴射間隔自動切換制御装置。
【請求項４】  請求項３において、既定の液体噴射間隔を検出している時点から前記液体噴射間隔自動切換制御手段によって前記回転体が１回転するまで液体噴射間隔を切り換えて、再び既定の液体噴射間隔が検出された場合に前記液体噴射切換装置が正常に動作していると判定する液体噴射間隔切換動作確認制御手段を有している、ことを特徴とした液体噴射間隔自動切換制御装置。
【請求項５】  請求項４において、前記切換レバーを前記トリガ部材で揺動させるべく前記キャリッジを移動させた際の前記キャリッジの停止位置が、前記突起部間に挟持された状態の前記切換レバーの揺動位置に対応した位置でない場合にエラーとする手段を有している、ことを特徴とした液体噴射間隔自動切換制御装置。
【請求項６】  請求項５において、前記切換レバーを前記トリガ部材で揺動させるべく前記キャリッジを移動させた際の前記キャリッジの停止位置が、前記突起部間に挟持された状態の前記切換レバーの揺動位置に対応した位置でない場合には、前記トリガ部材を前記キャリッジの往復動作領域からいったん退避させた後、再び前記キャリッジの往復動作領域に進出させてから前記切換レバーを前記トリガ部材で揺動させるべく前記キャリッジを再度移動させる手段を有している、ことを特徴とした液体噴射間隔自動切換制御装置。
【請求項７】  請求項５又は６において、設定されている液体噴射間隔に対応した前記回転体の回転位置を記憶する液体噴射間隔設定値記憶手段と、
前記液体噴射間隔自動切換制御手段によって液体噴射間隔を切り換える度に前記液体噴射間隔設定値記憶手段にて記憶した前記回転体の回転位置を更新する液体噴射間隔設定値更新手段と、
前記液体噴射間隔設定値記憶手段にて記憶した前記回転体の回転位置が不定である場合に、前記液体噴射間隔自動切換制御手段によって液体噴射間隔を既定の液体噴射間隔に設定し、既定の液体噴射間隔に対応した前記回転体の回転位置を記憶する液体噴射間隔設定値初期化手段とを有している、ことを特徴とした液体噴射間隔自動切換制御装置。
【請求項８】  請求項７において、前記液体噴射間隔切換装置は、前記液体噴射間隔自動切換制御手段による液体噴射間隔の切換動作をｎ回繰り返すことで、前記回転体が１周する如く前記突起部が形成されており、液体噴射間隔に対応した前記回転体の回転位置に１〜ｎの整数の回転位置番号が既定の液体噴射間隔に対応した回転体の回転位置を１として回転方向に順に付与されており、
前記液体噴射間隔設定値記憶手段は、１〜ｎをサイクリックにカウントする回転位置カウンタであり、
前記液体噴射間隔設定値更新手段は、前記液体噴射間隔自動切換制御手段によって液体噴射間隔を切り換える度に前記回転位置カウンタをカウントアップする手段を有し、
前記液体噴射間隔設定値初期化手段は、既定の液体噴射間隔に対応した回転体の回転位置に対応した液体噴射間隔に設定された時点で前記回転位置カウンタのカウント値を１にセットする手段を有している、ことを特徴とした液体噴射間隔自動切換制御装置。
【請求項９】  請求項８において、前記液体噴射間隔自動切換制御手段は、前記回転位置カウンタの現在のカウント値と、設定すべき液体噴射間隔に対応したカウント値とを照合する手段と、
前記回転位置カウンタの現在のカウント値と、設定すべき液体噴射間隔に対応したカウント値とが一致していない場合には、前記カウント値が一致するまで液体噴射間隔を切り換える手段とを有している、ことを特徴とした液体噴射間隔自動切換制御装置。
【請求項１０】  請求項８又は９において、前記液体噴射間隔自動切換制御手段は、液体噴射間隔を切り換えた際に前記切換レバーが前記突起部間に挟持されて揺動が規制された状態における前記キャリッジの停止位置から切換後の液体噴射間隔が既定の液体噴射間隔であると判定した場合には、切換前の前記回転位置カウンタのカウント値がｎだったか否かを照合し、切換前の前記回転位置カウンタのカウント値がｎでなかった場合には、前記液体噴射間隔切換動作確認制御手段によって前記液体噴射間隔切換装置が正常に動作しているか否かを確認する手段を有している、ことを特徴とした液体噴射間隔自動切換制御装置。
【請求項１１】  請求項８〜１０のいずれか１項において、前記液体噴射間隔自動切換制御手段は、液体噴射間隔を切り換えた際に前記切換レバーが前記突起部間に挟持されて揺動が規制された状態における前記キャリッジの停止位置から切換後の液体噴射間隔が既定の液体噴射間隔でないと判定した場合には、切換前の前記回転位置カウンタのカウント値がｎだったか否かを照合し、切換前の前記回転位置カウンタのカウント値がｎだった場合には、前記回転位置カウンタのカウント値を０にセットした後、前記液体噴射間隔切換動作確認制御手段によって前記液体噴射間隔切換装置が正常に動作しているか否かを確認する手段を有している、ことを特徴とした液体噴射間隔自動切換制御装置。
【請求項１２】  請求項８〜１１のいずれか１項において、前記液体噴射間隔切換動作確認制御手段は、前記回転位置カウンタのカウント値が１以外の場合に前記液体噴射間隔設定値初期化手段によって、液体噴射間隔を既定の液体噴射間隔に設定して前記回転位置カウンタのカウント値を１にセットする手段と、
液体噴射間隔を切り換えた際に前記切換レバーが前記突起部間に挟持されて揺動が規制された状態における前記キャリッジの停止位置から切換後の液体噴射間隔が既定の液体噴射間隔でないと判定した場合には、切換前の前記回転位置カウンタのカウント値がｎだったか否かを照合し、切換前の前記回転位置カウンタのカウント値がｎだった場合にエラーとする手段と、
液体噴射間隔を切り換えた際に前記切換レバーが前記突起部間に挟持されて揺動が規制された状態における前記キャリッジの停止位置から切換後の液体噴射間隔が既定の液体噴射間隔であると判定した場合には、切換前の前記回転位置カウンタのカウント値がｎだったか否かを照合し、切換前の前記回転位置カウンタのカウント値がｎでなかった場合にエラーとし、ｎだった場合に前記液体噴射切換装置が正常に動作していると判定する手段とを有している、ことを特徴とした液体噴射間隔自動切換制御装置。
【請求項１３】  請求項３〜１２のいずれか１項に記載の液体噴射間隔自動切換制御装置を備えた液体噴射装置。
【請求項１４】  請求項１又は２に記載の液体噴射間隔切換装置を備えたキャリッジと、該キャリッジの往復動作領域に進出退避可能に配設されたトリガ部材とを備えた液体噴射装置において、前記キャリッジの駆動力源と前記トリガ部材を進出退避させる手段とを制御して前記液体噴射間隔切換装置による液体噴射間隔の自動切換制御をコンピュータに実行させるための液体噴射間隔自動切換制御プログラムであって、
前記トリガ部材を前記キャリッジの往復動作領域に進出させ、前記切換レバーが前記突起部間に挟持されて揺動位置が規制される揺動位置まで前記キャリッジの往復動作領域に進出した状態の前記トリガ部材が前記切換レバーを揺動させるまで、前記キャリッジを移動させて前記回転偏心カムを前記突起部の間隔分だけ回転させる動作を繰り返すことによって、液体噴射間隔を前記突起部が形成されている間隔で段階的にサイクリックに切り換える液体噴射間隔自動切換制御手順と、
該液体噴射間隔自動切換制御手順によって液体噴射間隔を切り換えた際に、前記切換レバーが前記突起部間に挟持されて揺動が規制された状態における前記キャリッジの停止位置が、１カ所だけ間隔が異なる前記突起部間に挟持された状態の前記切換レバーの揺動位置に対応した位置である場合に既定の液体噴射間隔であると判定する既定液体噴射間隔検出制御手順とを有している、ことを特徴とした液体噴射間隔自動切換制御プログラム。
【請求項１５】  請求項１４において、既定の液体噴射間隔を検出している時点から前記液体噴射間隔自動切換制御手順によって前記回転体が１回転するまで液体噴射間隔を切り換えて、再び既定の液体噴射間隔が検出された場合に前記液体噴射切換装置が正常に動作していると判定する液体噴射間隔切換動作確認制御手順を有している、ことを特徴とした液体噴射間隔自動切換制御プログラム。
【請求項１６】  請求項１５において、前記切換レバーを前記トリガ部材で揺動させるべく前記キャリッジを移動させた際の前記キャリッジの停止位置が、前記突起部間に挟持された状態の前記切換レバーの揺動位置に対応した位置でない場合にエラーとする手順を有している、ことを特徴とした液体噴射間隔自動切換制御プログラム。
【請求項１７】  請求項１６において、前記切換レバーを前記トリガ部材で揺動させるべく前記キャリッジを移動させた際の前記キャリッジの停止位置が、前記突起部間に挟持された状態の前記切換レバーの揺動位置に対応した位置でない場合には、前記トリガ部材を前記キャリッジの往復動作領域からいったん退避させた後、再び前記キャリッジの往復動作領域に進出させてから前記切換レバーを前記トリガ部材で揺動させるべく前記キャリッジを再度移動させる手順を有している、ことを特徴とした液体噴射間隔自動切換制御プログラム。
【請求項１８】  請求項１６又は１７において、設定されている液体噴射間隔に対応した前記回転体の回転位置を記憶する液体噴射間隔設定値記憶手順と、
前記液体噴射間隔自動切換制御手順によって液体噴射間隔を切り換える度に前記液体噴射間隔設定値記憶手順にて記憶した前記回転体の回転位置を更新する液体噴射間隔設定値更新手順と、
前記液体噴射間隔設定値記憶手順にて記憶した前記回転体の回転位置が不定である場合に、前記液体噴射間隔自動切換制御手順によって液体噴射間隔を既定の液体噴射間隔に設定し、既定の液体噴射間隔に対応した前記回転体の回転位置を記憶する液体噴射間隔設定値初期化手順とを有している、ことを特徴とした液体噴射間隔自動切換制御プログラム。
【請求項１９】  請求項１８において、前記液体噴射間隔切換装置は、前記液体噴射間隔自動切換制御手順による液体噴射間隔の切換動作をｎ回繰り返すことで、前記回転体が１周する如く前記突起部が形成されており、液体噴射間隔に対応した前記回転体の回転位置に１〜ｎの整数の回転位置番号が基準となる回転位置を１として回転方向に順に付与されており、
前記液体噴射間隔設定値記憶手順は、１〜ｎをサイクリックにカウントする回転位置カウンタであり、
前記液体噴射間隔設定値更新手順は、前記液体噴射間隔自動切換制御手順によって液体噴射間隔を切り換える度に前記回転位置カウンタをカウントアップする手順を有し、
前記液体噴射間隔設定値初期化手順は、液体噴射間隔が既定の液体噴射間隔に設定された時点で前記回転位置カウンタのカウント値を１にセットする手順を有している、ことを特徴とした液体噴射間隔自動切換制御プログラム。
【請求項２０】  請求項１９において、前記液体噴射間隔自動切換制御手順は、前記回転位置カウンタの現在のカウント値と、設定すべき液体噴射間隔に対応したカウント値とを照合する手順と、
前記回転位置カウンタの現在のカウント値と、設定すべき液体噴射間隔に対応したカウント値とが一致していない場合には、前記カウント値が一致するまで液体噴射間隔を切り換える手順とを有している、ことを特徴とした液体噴射間隔自動切換制御プログラム。
【請求項２１】  請求項１９又は２０において、前記液体噴射間隔自動切換制御手順は、液体噴射間隔を切り換えた際に前記切換レバーが前記突起部間に挟持されて揺動が規制された状態における前記キャリッジの停止位置から切換後の液体噴射間隔が既定の液体噴射間隔であると判定した場合には、切換前の前記回転位置カウンタのカウント値がｎだったか否かを照合し、切換前の前記回転位置カウンタのカウント値がｎでなかった場合には、前記液体噴射間隔切換動作確認制御手順によって前記液体噴射間隔切換装置が正常に動作しているか否かを確認する手順を有している、ことを特徴とした液体噴射間隔自動切換制御プログラム。
【請求項２２】  請求項１９〜２１のいずれか１項において、前記液体噴射間隔自動切換制御手順は、液体噴射間隔を切り換えた際に前記切換レバーが前記突起部間に挟持されて揺動が規制された状態における前記キャリッジの停止位置から切換後の液体噴射間隔が既定の液体噴射間隔でないと判定した場合には、切換前の前記回転位置カウンタのカウント値がｎだったか否かを照合し、切換前の前記回転位置カウンタのカウント値がｎだった場合には、前記回転位置カウンタのカウント値を０にセットした後、前記液体噴射間隔切換動作確認制御手順によって前記液体噴射間隔切換装置が正常に動作しているか否かを確認する手順を有している、ことを特徴とした液体噴射間隔自動切換制御プログラム。
【請求項２３】  請求項１９〜２２のいずれか１項において、前記液体噴射間隔切換動作確認制御手順は、前記回転位置カウンタのカウント値が１以外の場合に前記液体噴射間隔設定値初期化手順によって、液体噴射間隔を既定の液体噴射間隔に設定して前記回転位置カウンタのカウント値を１にセットする手順と、
液体噴射間隔を切り換えた際に前記切換レバーが前記突起部間に挟持されて揺動が規制された状態における前記キャリッジの停止位置から切換後の液体噴射間隔が既定の液体噴射間隔でないと判定した場合には、切換前の前記回転位置カウンタのカウント値がｎだったか否かを照合し、切換前の前記回転位置カウンタのカウント値がｎだった場合にエラーとする手順と、
液体噴射間隔を切り換えた際に前記切換レバーが前記突起部間に挟持されて揺動が規制された状態における前記キャリッジの停止位置から切換後の液体噴射間隔が既定の液体噴射間隔であると判定した場合には、切換前の前記回転位置カウンタのカウント値がｎだったか否かを照合し、切換前の前記回転位置カウンタのカウント値がｎでなかった場合にエラーとし、ｎだった場合に前記液体噴射切換装置が正常に動作していると判定する手順とを有している、ことを特徴とした液体噴射間隔自動切換制御プログラム。
【請求項２４】  回転偏心カムと、所定の方向に揺動して前記回転偏心カムを一回転方向に回転させる切換レバーと、前記回転偏心カムと一体に回転する如く配置され、複数の突起部が同心円上に形成された回転体とを有し、
前記切換レバーを一方向に揺動させることで前記切換レバーの係合部が前記突起部と係合して前記回転体が一回転方向に回転し、前記係合部と係合している突起部の前記回転体の回転方向と反対方向直近に形成されている突起部に前記切換レバーの係止部が当接する回転位置まで前記回転体が回転した時点で、前記切換レバーが前記係合部に係合している突起部と前記係止部に当接している突起部との間に挟持されて一方向への前記切換レバーの揺動が規制されることによって、前記回転体の回転位置が規定されて前記回転偏心カムの回転位置が規定され、前記回転体に前記切換レバーの係止部が当接する回転位置まで前記回転体が回転した後、前記切換レバーを他揺動方向に揺動させると、前記係合部と係合している突起部の前記回転体の回転方向と反対方向直近に形成されている突起部と前記係合部とが係合した際に前記回転体が他回転方向に回転しない構成を成しており、
前記回転体は、前記突起部が同心円上の隣の突起部との間隔が１カ所を除いて略等間隔となる如く形成されている、ことを特徴とした回転偏心カムの回転位置切換装置。